(57)【要約】【課題】  この発明は、ディスプレイの焼付き寿命を延ばすことができるディスプレイの焼付き寿命の延命化方法を提供することを目的とする。【解決手段】  入力映像に固定パターンを合成して表示する機能を備えた表示装置に用いられかつ表示輝度および表示時間に応じて発光輝度劣化を起こすようなディスプレイの延命化方法において、固定パターンの単純反転映像をディスプレイに表示させた状態で、ディスプレイのエージング処理を行う。【選択図】  図３
2005283908.tif 000002
【特許請求の範囲】
【請求項１】
入力映像に固定パターンを合成して表示する機能を備えた表示装置に用いられかつ表示輝度および表示時間に応じて発光輝度劣化を起こすようなディスプレイの延命化方法において、
固定パターンの単純反転映像をディスプレイに表示させた状態で、ディスプレイのエージング処理を行うことを特徴とするディスプレイの延命化方法。
【請求項２】
入力映像に固定パターンを合成して表示する機能を備えた表示装置に用いられかつ表示輝度および表示時間に応じて発光輝度劣化を起こすようなディスプレイの延命化方法において、
固定パターンの単純反転映像を第１の反転画像として生成し、得られた第１の反転映像のうちの最低輝度部分の輝度が０となるように第１の反転映像の画像データを低輝度側にシフトした第２の反転映像を生成し、第２の反転映像をディスプレイに表示させた状態で、ディスプレイのエージング処理を行うことを特徴とするディスプレイの延命化方法。
【請求項３】
入力映像に固定パターンを合成して表示する機能を備えた表示装置に用いられかつ表示輝度および表示時間に応じて発光輝度劣化を起こすようなディスプレイの延命化方法において、
固定パターンの単純反転映像を第１の反転画像として生成し、得られた第１の反転映像のうちの最低輝度部分の輝度が０となるように第１の反転映像の画像データを低輝度側にシフトした第２の反転映像を生成し、第２の反転映像のうちの最高輝度部分の輝度値が輝度最大値となるように第２の反転映像の画像データをゲイン調整した第３の反転映像を生成し、第３の反転映像をディスプレイに表示させた状態で、ディスプレイのエージング処理を行うことを特徴とするディスプレイの延命化方法。
【請求項４】
ディスプレイに表示される固定パターンが複数種類存在する場合には、各固定パターンの出現頻度を考慮して、全固定パターンの合成画像を生成し、得られた合成画像に対する単純反転画像を固定パターンの単純反転画像として用いることを特徴とする請求項１、２および３のいずれかに記載のディスプレイの延命化方法。
【発明の詳細な説明】
【技術分野】
【０００１】
この発明は、有機ＥＬパネル、無機ＥＬパネル、ＰＤＰ等のように、表示輝度および表示時間に応じて発光輝度劣化を起こすようなディスプレイの延命化方法に関し、特に、入力映像に固定パターンを合成して表示する機能を備えた表示装置に用いられるディスプレイの延命化方法に関する。
【背景技術】
【０００２】
有機ＥＬ素子では、駆動電流量および表示時間に応じて、発光輝度が低下する。このため、有機ＥＬパネルを表示パネルとして用いたデジタルカメラや携帯型電話機等において、アイコンのような同一映像を表示させ続けた場合、焼き付き現象が発生するという問題がある。
【０００３】
図１は、背景等の低輝度の画像を表示し続けた場合の有機ＥＬ素子の劣化特性ＳＬと、文字等の高輝度の画像を表示し続けた場合の有機ＥＬ素子の劣化特性ＳＨとを示している。
【０００４】
図２（ａ）に示すように、任意の背景Ｈ中に文字Ｍ（固定パターン、アイコン）が表示される場合を想定する。この例では、階調が８ビットで表される場合（階調が高いほど輝度が高い）、文字部分Ｍの輝度は１９２階調である。背景部分Ｈの輝度は様々な階調となるが、この例では６４階調である。
【０００５】
背景部分Ｈには、様々な映像が表示されると仮定すれば、平均輝度の大小はあるにしても、概ねベタ映像になると考えられる。このような固定パターンが長期にわたって表示され続けた後に、全白映像を表示した場合、文字Ｍが表示されていた画素の輝度劣化が背景Ｈが表示されていた画素の輝度劣化に比べて大きいため、図２（ｂ）に示すように、文字Ｍが表示されていた画素ＭＧの輝度が例えば６４階調のときと同程度の輝度となるのに対して、背景Ｈが表示されていた画素ＨＧの輝度が１９２階調のときと同程度の輝度になり、文字部分が焼き付き映像として視認されてしまう。
【０００６】
なお、図１に示すように、近接する２つの画素の劣化率の差が、焼付き現象が視認されるようになる限界幅（焼付き視認限界幅）ΔＱLIM に達するまでの期間を、焼付き寿命と呼んでいる。
【発明の開示】
【発明が解決しようとする課題】
【０００７】
この発明は、ディスプレイの焼付き寿命を延ばすことができるディスプレイの焼付き寿命の延命化方法を提供することを目的とする。
【課題を解決するための手段】
【０００８】
請求項１に記載の発明は、入力映像に固定パターンを合成して表示する機能を備えた表示装置に用いられかつ表示輝度および表示時間に応じて発光輝度劣化を起こすようなディスプレイの延命化方法において、固定パターンの単純反転映像をディスプレイに表示させた状態で、ディスプレイのエージング処理を行うことを特徴とする。
【０００９】
請求項２に記載の発明は、入力映像に固定パターンを合成して表示する機能を備えた表示装置に用いられかつ表示輝度および表示時間に応じて発光輝度劣化を起こすようなディスプレイの延命化方法において、固定パターンの単純反転映像を第１の反転画像として生成し、得られた第１の反転映像のうちの最低輝度部分の輝度が０となるように第１の反転映像の画像データを低輝度側にシフトした第２の反転映像を生成し、第２の反転映像をディスプレイに表示させた状態で、ディスプレイのエージング処理を行うことを特徴とする。
【００１０】
請求項３に記載の発明は、入力映像に固定パターンを合成して表示する機能を備えた表示装置に用いられかつ表示輝度および表示時間に応じて発光輝度劣化を起こすようなディスプレイの延命化方法において、固定パターンの単純反転映像を第１の反転画像として生成し、得られた第１の反転映像のうちの最低輝度部分の輝度が０となるように第１の反転映像の画像データを低輝度側にシフトした第２の反転映像を生成し、第２の反転映像のうちの最高輝度部分の輝度値が輝度最大値となるように第２の反転映像の画像データをゲイン調整した第３の反転映像を生成し、第３の反転映像をディスプレイに表示させた状態で、ディスプレイのエージング処理を行うことを特徴とする。
【００１１】
請求項４に記載の発明は、請求項１乃至請求項３に記載の発明において、ディスプレイに表示される固定パターンが複数種類存在する場合には、各固定パターンの出現頻度を考慮して、全固定パターンの合成画像を生成し、得られた合成画像に対する単純反転画像を固定パターンの単純反転画像として用いることを特徴とする。
【発明の効果】
【００１２】
この発明によれば、ディスプレイの焼付き寿命を延ばすことができるようになる。
【発明を実施するための最良の形態】
【００１３】
以下、図３〜図９を参照して、この発明を、入力映像に固定パターンを合成して表示する機能を備えた表示装置に用いられる有機ＥＬパネルに適用した場合の実施例について説明する。
【実施例１】
【００１４】
〔１〕本発明の基本的な考え方についての説明
有機ＥＬパネルにおいては、有機ＥＬパネルが安定して映像を出力させる目的で、商品として出荷する前に、有機ＥＬパネルに電圧を印加させて有機ＥＬパネルを劣化させている。このように、有機ＥＬパネルを予め劣化させることはエージングと呼ばれている。
【００１５】
本願発明では、入力映像に固定パターン（アイコン）を合成して表示する機能を備えた表示装置に用いられる有機ＥＬパネルに対して、通常とは異なる特殊なエージングを行って、有機ＥＬパネルの焼付き寿命を延ばすようにしている。つまり、エージングの際に有機ＥＬパネルに表示させる映像のパターンを、通常のエージングとは異なるパターンとすることにより、有機ＥＬパネルの焼付き寿命を延ばすようにしている。
【００１６】
図３（ａ）は、アイコン（固定パターン）が表示された場合の画像例を示している。アイコン（固定パターン）が表示される位置は、固定的に決まっているものとする。この例では、アイコンＡは”ＴＶ”の文字から構成されている。入力映像信号が８ビットで表されているものとすると、背景Ｈの映像信号値は例えば６４であり、アイコンＡの画像データは例えば１９２である。このようなアイコンを表示し続けると、上述したように、低輝度の背景部分の有機ＥＬの劣化率に対して、高輝度のアイコンの表示位置に対応する有機ＥＬの劣化率が大きくなり、上述したような焼付き現象が発生することになる。
【００１７】
そこで、アイコン画像の反転映像をエージングの際に有機ＥＬパネルに表示させて、反転映像を焼付ける。つまり、反転映像を用いたエージングによって、背景部分の劣化率を、アイコン部分の劣化率より大きくさせておく。
【００１８】
図３（ｂ）は、図３（ａ）の反転映像を示している。反転映像では、背景Ｈの映像信号値は１９１（＝２５５−６４）となり、アイコンＡの画像データは６３（＝２５５−１９２）となる。
【００１９】
図４は、反転映像を用いたエージングが施された有機ＥＬパネルの劣化率特性を示している。
【００２０】
図４において、ＳＬは、低輝度の背景の画像を表示し続けた場合の有機ＥＬ素子の劣化特性ＳＬと、高輝度のアイコンの画像を表示し続けた場合の有機ＥＬ素子の劣化特性ＳＨとを示している。
【００２１】
有機ＥＬパネルの使用開始時には、低輝度の背景の画像が表示される領域（背景領域）での劣化率が、高輝度のアイコンの画像が表示される領域（アイコン領域）での劣化率より大きくなっている。そして、有機ＥＬパネルが使用されると、アイコン領域での単時間当たりの劣化率は、背景領域の短時間当たりの劣化率より大きいため、両領域の劣化率は次第に等しくなっていく、そして、両者の劣化率が等しくなった後は、アイコン領域の劣化率が背景領域の劣化率より徐々に大きくなっていき、両者の劣化率の差が焼付き視認限界幅ΔＱLIM に到達するようになる。
【００２２】
図１と図４とを比較すると、本実施例のような反転映像を用いたエージングを行った場合の方が、焼付き寿命が長くなっていることがわかる。
【００２３】
反転映像を用いたエージングは、図４に示すように、低輝度の背景の画像が表示される領域（背景領域）での劣化率と高輝度のアイコンの画像が表示される領域（アイコン領域）での劣化率との差ΔＱ0 が、焼付き視認限界幅ΔＱLIM 以下でΔＱLIM に近い値となるまで、行うことが好ましい。ΔＱ0 がΔＱLIM より大きくなってしまうと、使用開始直後において、焼付き現象が視認されてしまうからである。  
【００２４】
ΔＱ0 がΔＱLIM とほぼ等しくなるまでの時間（反転映像を用いたエージング時間）は、有機ＥＬパネルの予め劣化特性が分かっている場合には、劣化特性に基づいて算出される。有機ＥＬパネルの劣化特性が不明である場合には、エージング時に背景領域での劣化率とアイコン領域の劣化率とを光学測定器で監視し、両者の劣化率の差ΔＱ0 が焼付き視認限界幅ΔＱLIM にほぼ等しくなるまで、エージングを行えばよい。
【００２５】
図３（ｂ）に示すような単純な反転映像（単純反転映像）の代わりに、図３（ｃ）に示すように、単純反転映像の最低画像データ値が０となるように、単純反転映像の各画像データ値を低レベル側にシフトさせた反転映像（低レベル化反転映像）を用いてもよい。図３（ｂ）では、アイコンＡの画像データが最も小さいので、図３（ｃ）に示す低レベル化反転画像では、アイコンＡの画像データは０となり、背景Ｈの映像信号値は１２８（＝１９１−６３）となる。
【００２６】
このような低レベル化反転映像を用いてエージングを行った場合には、単純反転映像を用いてエージングを行った場合に比べて、エージング終了時における有機ＥＬパネル全体の劣化率を低く抑えることができる。
【００２７】
また、図３（ｄ）に示すように、低レベル化反転映像の最高画像データ値が２５５となるように、低レベル化反転映像の各画像データをゲイン調整した反転映像（低レベル化およびゲイン調整反転映像）を用いてもよい。図３（ｃ）では、背景Ｈの画像データが最も小さいので、図３（ｄ）に示す低レベル化およびゲイン調整反転画像では、背景Ｈの画像データが２５５となり、アイコンＡの画像データは０となる。
【００２８】
このような低レベル化およびゲイン調整反転映像を用いてエージングを行った場合には、低レベル化反転映像を用いてエージングを行った場合に比べて、エージング時間を短くすることができる。
【００２９】
なお、反転映像（低レベル化反転映像、低レベル化およびゲイン調整反転映像）を用いたエージングのみを行ってもよいし、通常のエージングを行った後に、反転映像（低レベル化反転映像、低レベル化およびゲイン調整反転映像）を用いたエージングを行うようにしてもよい。
【００３０】
〔２〕  上記〔１〕では、アイコン（固定パータン）が１種類のみ存在する場合について、説明したが、通常は、表示可能なアイコンは複数種類存在している。そこで、表示可能なアイコンが複数存在している場合において、エージングに用いられる反転映像（単純反転映像、低レベル化反転映像ならびに低レベル化およびゲイン調整反転画像）の生成方法について説明する。
【００３１】
ここでは、表示可能なアイコンとして、図５（ａ）に示すようなアイコンと、図５（ｂ）に示すようなアイコンとの２種類が存在する場合について説明する。入力映像信号が８ビットで表されているものとする。
【００３２】
図５（ａ）に示す第１アイコンＡ１は円形画像あり、その画像データは２５５である。また、第１背景Ｈ１の映像信号値は１２８である。図５（ｂ）に示す第２アイコンＡ２は矩形画像あり、その画像データは２５５である。第２背景Ｈ２の映像信号値は、１２８である。
【００３３】
このように複数のアイコンが用意されている場合には、それらのアイコンが表示される割合（表示頻度）を考慮して、それらのアイコン画像の合成画像を生成する。
【００３４】
まず、第１アイコンの表示頻度（単位時間当たりの表示フレーム数）と第２アイコンの表示頻度との比が１：１である場合について説明する。第１アイコンの表示頻度（単位時間当たりの表示フレーム数）と第２アイコンの表示頻度との比が１：１である場合には、合成画像は、図６（ａ）に示すようになる。
【００３５】
第１アイコン画像と第２アイコン画像との合成画像は、第１アイコンＡ１内で第２アイコンＡ２と重なっていないアイコン領域Ａ１１と、第１アイコンＡ１と第２アイコンＡ２とが重なっているアイコン領域Ａ１２と、第２アイコンＡ２内で第１アイコンＡ１と重なっていないアイコン領域Ａ２２と、背景領域Ｈ１２とから構成されている。
【００３６】
第１アイコンと第２アイコンとが表示される割合が１：１である場合には、アイコン領域Ａ１１の画像データ値は、第１アイコンＡ１の画像データ値（２５５）に１／２を乗算した値（２５５／２）と、第２背景Ｈ２の画像データ値（１２８）に１／２を乗算した値（１２８／２）との和（１９２）となる。アイコン領域Ａ２２の画像データ値は、第２アイコンＡ２の画像データ値（６４）に１／２を乗算した値（６４／２）と、第１背景Ｈ１の画像データ値（１２８）に１／２を乗算した値（１２８／２）との和（９６）となる。      
【００３７】
アイコン領域Ａ１２の画像データ値は、第１アイコンＡ１の画像データ値（２５５）に１／２を乗算した値（２５５／２）と、第２アイコンＡ２の画像データ値（６４）に１／２を乗算した値（６４／２）との和（１６０）となる。背景領域Ｈ１２の画像データ値は、第１背景Ｈ１の画像データ値（１２８）に１／２を乗算した値（１２８／２）と、第２背景Ｈ２の画像データ値（１２８）に１／２を乗算した値（１２８／２）との和（１２８）となる。
【００３８】
そして、図６（ｂ）に示すように、合成画像の単純反転画像を生成する。単純反転画像では、アイコン領域Ａ１１の画像データ値は６３となり、アイコン領域Ａ２２の画像データ値は１５９となり、アイコン領域Ａ１２の画像データ値は９５となり、背景領域Ｈ１２の画像データ値は１２７となる。
【００３９】
低レベル化反転映像は、図６（ｃ）のようになる。低レベル化反転画像では、アイコン領域Ａ１１の画像データ値は０となり、アイコン領域Ａ２２の画像データ値は９６となり、アイコン領域Ａ１２の画像データ値は３２となり、背景領域Ｈ１２の画像データ値は６４となる。
【００４０】
低レベル化およびゲイン調整反転映像は、図６（ｄ）のようになる。低レベル化およびゲイン調整反転画像では、アイコン領域Ａ１１の画像データ値は０となり、アイコン領域Ａ２２の画像データ値は２５５となり、アイコン領域Ａ１２の画像データ値は８５（＝３２×２５５／９６）となり、背景領域Ｈ１２の画像データ値は１７０（＝６４×２５５／９６）となる。
【００４１】
次に、第１アイコンの表示頻度（単位時間当たりの表示フレーム数）と第２アイコンの表示頻度との比が１：３である場合について説明する。第１アイコンの表示頻度（単位時間当たりの表示フレーム数）と第２アイコンの表示頻度との比が１：３である場合には、合成画像は、図７（ａ）に示すようになる。
【００４２】
アイコン領域Ａ１１の画像データ値は、第１アイコンＡ１の画像データ値（２５５）に１／４を乗算した値（２５５／４）と、第２背景Ｈ２の画像データ値（１２８）に３／４を乗算した値（１２８×３／４）との和（１６０）となる。アイコン領域Ａ２２の画像データ値は、第１背景Ｈ１の画像データ値（１２８）に１／４を乗算した値（１２８／４）と、第２アイコンＡ２の画像データ値（６４）に３／４を乗算した値（６４×３／４）との和（８０）となる。
【００４３】
アイコン領域Ａ１２の画像データ値は、第１アイコンＡ１の画像データ値（２５５）に１／４を乗算した値（２５５／４）と、第２アイコンＡ２の画像データ値（６４）に３／４を乗算した値（６４×３／４）との平均値（１１２）となる。背景領域Ｈ１２の画像データ値は、第１背景Ｈ１の画像データ値（１２８）に１／４を乗算した値（１２８／４）と、第２背景Ｈ２の画像データ値（１２８）に３／４を乗算した値（１２８×３／４）との和（１２８）となる。
【００４４】
そして、図７（ｂ）に示すように、合成画像の単純反転画像を生成する。単純反転画像では、アイコン領域Ａ１１の画像データ値は９５となり、アイコン領域Ａ２２の画像データ値は１７５となり、アイコン領域Ａ１２の画像データ値は１４３となり、背景領域Ｈ１２の画像データ値は１２７となる。
【００４５】
低レベル化反転映像は、図７（ｃ）のようになる。低レベル化反転画像では、アイコン領域Ａ１１の画像データ値は０となり、アイコン領域Ａ２２の画像データ値は８０となり、アイコン領域Ａ１２の画像データ値は４８となり、背景領域Ｈ１２の画像データ値は３２となる。
【００４６】
低レベル化およびゲイン調整反転映像は、図７（ｄ）のようになる。低レベル化およびゲイン調整反転画像では、アイコン領域Ａ１１の画像データ値は０となり、アイコン領域Ａ２２の画像データ値は２５５となり、アイコン領域Ａ１２の画像データ値は１５３（＝４８×２５５／８０）となり、背景領域Ｈ１２の画像データ値は１０２（＝３２×２５５／８０）となる。
【００４７】
〔３〕エージング時間の最適化についての説明
〔３−１〕アイコンの合成画像が図６（ａ）に示すような画像である場合に、図６（ｂ）に示すような単純反転映像を用いてエージングを行う際の、エージング時間の最適化について説明する。
【００４８】
有機ＥＬパネルの劣化率特性が、輝度の増加に対して１．４乗の割合で寿命が短くなるものとする。また、図８に曲線Ｓ（２５５階調）で示すように、初期条件が２５５階調のときに、輝度が１００ｃｄ／ｍ2 であり、１０００Ｈの半減期があるとする。また、焼付き視認限界幅が、１０階調であるとする。
【００４９】
γ特性のγ値が１．０である場合について説明する。焼付き視認限界幅（１０階調）に対応する輝度差は、約４｛＝１００×（１０／２５５）｝ｃｄ／ｍ2 となる。図６（ｂ）の単純反転映像を用いてエージングを行った場合には、最大階調１６０の領域Ａ２２と、最小階調６３の領域Ａ１１の間で、最も輝度差が大きくなる。１６０階調の輝度は６３｛＝１００×（１６０／２５５）｝程度となり、６３階調の輝度は２５｛＝１００×（６３／２５５）｝程度となる。
【００５０】
したがって、輝度が６３（１６０階調）である場合の半減期は、（１００／６３）1.4 ×１０００＝１９１０となり、輝度が２５（６３階調）である場合の半減期は、（１００／２５）1.4 ×１０００＝６９０４となる。
【００５１】
この結果と、図８の曲線Ｓ（２５５階調）とに基づいて、図８に示すように、１６０階調の場合の劣化特性曲線Ｓ（１６０階調）と、６３階調である場合の劣化特性曲線Ｓ（６３階調）とを作成する。
【００５２】
そして、劣化特性曲線Ｓ（１６０階調）と劣化特性曲線Ｓ（６３階調）とに基づいて、両者の劣化率の差が、４ｃｄ／ｍ2 となる時間をエージング時間とする。
【００５３】
予め曲線Ｓ（２５５階調）の数式化ができている場合には、焼付き視認限界幅（１０階調）に対応する輝度差と、輝度が６３（１６０階調）および輝度が２５（６３階調）のときの寿命とに基づいて、最適化時間を導くことができる。
【００５４】
〔３−１〕アイコンの合成画像が図６（ａ）に示すような画像である場合に、図６（ｃ）に示すような単純反転映像を用いてエージングを行う際の、エージング時間の最適化について説明する。
【００５５】
有機ＥＬパネルの劣化率特性が、輝度が１ｃｄ／ｍ2 上がる毎に１．４乗の割合で寿命が短くなるものとする。また、図９に曲線Ｓ（２５５階調）で示すように、初期条件が２５５階調のときに、輝度が１００ｃｄ／ｍ2 であり、１０００Ｈの半減期があるとする。また、焼付き視認限界幅が、１０階調であるとする。
【００５６】
γ特性のγ値が１．０である場合について説明する。焼付き視認限界幅（１０階調）に対応する輝度差は、約４｛＝１００×（１０／２５５）｝ｃｄ／ｍ2 となる。図６（ｃ）の単純反転映像を用いてエージングを行った場合には、最大階調９７の領域Ａ２２と、最小階調０の領域Ａ１１の間で、最も輝度差が大きくなる。９７階調の輝度は２４．７｛＝１００×（９７／２５５）｝程度であり、０階調の輝度は０となる。
【００５７】
したがって、輝度が２４．７（９７階調）である場合の半減期は、（１００／２４．７）1.4 ×１０００＝７０８３となる。
【００５８】
この結果と、図９の曲線Ｓ（２５５階調）とに基づいて、図９に示すように、９７階調の場合の劣化特性曲線Ｓ（９７階調）と、０階調である場合の劣化特性曲線Ｓ（０階調）とを作成する。
【００５９】
そして、劣化特性曲線Ｓ（９７）と劣化特性曲線Ｓ（０）とに基づいて、両者の劣化率の差が、４ｃｄ／ｍ2 となる時間をエージング時間とする。
【００６０】
予め曲線Ｓ（２５５）の数式化ができている場合には、焼付き視認限界幅（１０階調）に対応する輝度差と、輝度が２４．７（９７階調）のときの寿命とに基づいて、最適化時間を導くことができる。
【図面の簡単な説明】
【００６１】
【図１】背景等の低輝度の画像を表示し続けた場合の有機ＥＬ素子の劣化特性ＳＬと、文字等の高輝度の画像を表示し続けた場合の有機ＥＬ素子の劣化特性ＳＨとを示すグラフである。
【図２】文字部分が焼き付き映像として視認されることを示す模式図である。
【図３】アイコン画像、単純反転映像、低レベル化反転映像、ならびに低レベル化およびゲイン調整反転画像を示す模式図である。
【図４】反転映像を用いたエージングが施された有機ＥＬパネルの劣化率特性を示すグラフである。
【図５】第１アイコン画像と第２アイコン画像とを示す模式図である。
【図６】第１アイコンの表示頻度と第２アイコンの表示頻度との比が１：１である場合のアイコン合成画像、単純反転映像、低レベル化反転映像、ならびに低レベル化およびゲイン調整反転画像を示す模式図である。
【図７】第１アイコンの表示頻度と第２アイコンの表示頻度との比が１：３である場合のアイコン合成画像、単純反転映像、低レベル化反転映像、ならびに低レベル化およびゲイン調整反転画像を示す模式図である。
【図８】単純反転映像を用いてエージングを行う場合のエージング時間の最適化を説明するための模式図である。
【図９】低レベル化反転映像を用いてエージングを行う場合のエージング時間の最適化を説明するための模式図である。
【図１】
2005283908.tif 000003
【図２】
2005283908.tif 000004
【図３】
2005283908.tif 000005
【図４】
2005283908.tif 000006
【図５】
2005283908.tif 000007
【図６】
2005283908.tif 000008
【図７】
2005283908.tif 000009
【図８】
2005283908.tif 000010
【図９】
2005283908.tif 000011